(57)【要約】      （修正有）【課題】被捕捉部材をガイドレールの任意の位置に固定できるようにし、かつ、ガイドレールの上下方向の寸法をより短くすることができる開閉体緩衝装置および被捕捉部材の取付方法を提供する。【解決手段】被捕捉部材１１には、上下方向に貫通する雌ねじ１２が設けられ、雌ねじ１２にねじ１３を下側から螺合することによってねじ１３の先端部をガイドレール１の上壁部１ｃに当接させ、被捕捉部材１１の下側をガイドレール１の支持部３に押圧させるようにねじ１３を螺合する。【選択図】図５
2016176210.tif 000002
【特許請求の範囲】
【請求項１】
開閉体を移動可能に案内するガイドレールの開側および閉側の一方または両方に設けられた被捕捉部材と、前記開閉体に取り付けられて開閉方向へ移動可能に構成され、前記被捕捉部材の突部を捕捉することで前記開閉体を閉方向または開方向へと移動させる捕捉引込機構とを備えた開閉体緩衝装置であって、
前記被捕捉部材には、上下方向に貫通する雌ねじが設けられ、前記雌ねじにねじを下側から螺合することによって前記ねじの先端部を前記ガイドレールの上壁部に当接させ、さらにねじを螺合することで前記被捕捉部材の下側を前記ガイドレールの支持部に押圧させるようにしたことを特徴とする開閉体緩衝装置。
【請求項２】
前記被捕捉部材に平板状の取付部を設け、前記取付部に前記雌ねじが設けられるとともに、前記取付部の下面が前記支持部に押圧されるようにしたことを特徴とする請求項１に記載の開閉体緩衝装置。
【請求項３】
前記ガイドレールには、その断面において前記支持部が前記ガイドレールの左右にそれぞれ設けられ、
左右に対向する前記支持部の間から前記突部を下側に向かって突出させるようになっており、
左右に対向する前記支持部の間の長さよりも前記中央取付部の寸法を大きく形成していることを特徴とする請求項２に記載の開閉体緩衝装置。
【請求項４】
前記ガイドレールの支持部には、前記取付部の形状に合わせて下側に窪んだ段差部が形成されていることを特徴とする請求項３に記載の開閉体緩衝装置。
【請求項５】
前記被捕捉部材は、前記雌ねじが形成された平板状の中央取付部と、前記突部を有し、前記中央取付部に上下に重ねて取り付けられる突起部とがそれぞれ別体で構成されていることを特徴とする請求項３または請求項４に記載の開閉体緩衝装置。
【請求項６】
開閉体を移動可能に案内するガイドレールの開側および閉側の一方または両方に設けられた被捕捉部材と、前記開閉体に取り付けられて開閉方向へ移動可能に構成され、前記被捕捉部材の突部を捕捉することで前記開閉体を閉方向または開方向へと移動させる捕捉引込機構とを備えた開閉体緩衝装置に用いられ、前記被捕捉部材を前記ガイドレールに取り付けるための被捕捉部材の取付方法であって、
前記被捕捉部材は、前記雌ねじが形成された平板状の中央取付部と、前記突部を有し、前記中央取付部に上下に重ねて取り付けられる突起部とがそれぞれ別体で構成されており、前記雌ねじにねじを下側から螺合することによって前記ねじの先端部を前記ガイドレールの上壁部に当接させ、さらにねじを螺合することで前記中央取付部の下側を前記ガイドレールの支持部に押圧させるようにしたものであり、
前記ガイドレールには、その断面において前記支持部が前記ガイドレールの左右にそれぞれ設けられ、左右に対向する前記支持部の間から前記突部を下側に向かって突出させるようになっており、左右に対向する前記支持部の間の長さよりも前記中央取付部の寸法が大きく形成されており、
前記中央取付部と前記突起部との間に上下方向に隙間を設け、この隙間に前記支持部が入り込むようにして、左右に対向する前記支持部の間から前記中央取付部を前記支持部の上側に挿入することを特徴とする被捕捉部材の取付方法。
【発明の詳細な説明】
【技術分野】
【０００１】
本発明は、引き戸や抽斗などの開閉体を、開き際に強制的に緩やかに開かせる一方、閉じ際に強制的に緩やかに閉じることができる開閉体緩衝装置、およびこの開閉体緩衝装置に使用される被捕捉部材の取付方法に関する。
【背景技術】
【０００２】
従来の開閉体緩衝装置は、例えば、建屋側のガイドレール（引戸レール）側に取り付けられ、このガイドレールの開側および閉側の両方にそれぞれ配設された２つの被捕捉部材と、引き戸側に取り付けられ、被捕捉部材を捕捉して引き戸を開方向または閉方向へ引き込むための捕捉引込機構とを備えている。この捕捉引込機構は、ガイドレールの長手方向であって、引き戸の開閉方向に延在しており、その開側および閉側のそれぞれの端部には、捕捉部材が設けられている。この閉側の捕捉部材は、閉側の被捕捉部材を捕捉するためのものであり、開側の捕捉部材は、開側の被捕捉部材を捕捉するためのものである。
【０００３】
このような開閉体緩衝装置では、引き戸が閉側の所定の位置まで閉じられて閉側の捕捉部材が被捕捉部材を捕捉したときには、捕捉された閉側の被捕捉部材がばね力によって開側へ引き寄せられるようになる。これにより、引き戸は、その閉まり際に強制的に閉方向へと移動するようになる。逆に、引き戸が開側の所定の位置まで開かれて開側の捕捉部材が被捕捉部材を捕捉したときには、捕捉された開側の被捕捉部材がばね力によって閉側へ引き寄せられるようになる。これにより、引き戸は、その開き際に強制的に開方向へと移動するようになる（例えば、特許文献１参照）。
【０００４】
一方、上述したガイドレールは、断面が略コ字形状に形成されており、その開口が下側に向けられた状態で取り付けられている。このガイドレールに配設される被捕捉部材は、ガイドレールの内側の上面に配置され、ガイドレールの上面に設けられた取付穴にねじを下側から挿通させる態様で建屋側に取り付けられる。この取付穴は、工場出荷時に予め所定の位置に加工されており、現地ではこの穴位置に合わせて被捕捉部材が取り付けられる。この取付穴に合わせて取り付けることによって、捕捉引込機構が被捕捉部材を捕捉するための最適な位置にくるようになっている（例えば、特許文献２参照）。
【０００５】
また、建屋側の戸口の幅方向の長さは建築物によってさまざまであり、現地では、ガイドレールを戸口の寸法に合わせて切断して使用することがある。このように切断した場合には、上述したガイドレールの取付穴も現地で寸法を測って再加工する必要があり手間がかかる。このような問題を解決するために、被捕捉部材を建屋側にねじ固定する構造ではなく、被捕捉部材をガイドレール側の長手方向の任意な位置に固定できるようにすることが発案されている。例えば、ガイドレール内に棚状補助レールを設け、被捕捉部材（ストライカ）をこの棚状補助レールに沿って長手方向に移動可能にするとともに、被捕捉部材が棚状補助レールを上下方向から挟持することで任意の位置に固定できるようになっている（例えば、特許文献３参照）。
【先行技術文献】
【特許文献】
【０００６】
【特許文献１】特開２０１３−１７０４１５号公報
【特許文献２】特開２０１２−１１７２２１号公報
【特許文献３】特開２０１４−９８２６２号公報
【発明の概要】
【発明が解決しようとする課題】
【０００７】
しかしながら、特許文献３の技術における被捕捉部材は、棚状補助レールを上下から挟み込むような断面コ字形状に製作しなければならず、構造が複雑である。そのため、部品を製作するためのコストが高くなってしまう。また、被捕捉部材は、捕捉引込機構で確実に捕捉されるように取り付けられる必要があるが、構造が複雑であることから取付時のがたつきが生じてしまうなどの問題によって位置精度が悪くなるおそれがある。
【０００８】
また、ガイドレールは外側から視認できる位置に取り付けられる。そのため、ガイドレールの上下方向の寸法が長いと、引き戸全体から見てガイドレールが目立ってしまい、外観が損なわれる。特許文献３の構造では、被捕捉部材が棚状補助レールを上下から挟み込んで固定するものであるため、ガイドレールの上下方向の寸法が構造的に長くなってしまう。
【０００９】
本発明は、上述した事情を鑑みてなされたものであり、その目的は、被捕捉部材をガイドレールの任意の位置に固定できるようにし、かつ、ガイドレールの上下方向の寸法をより短くすることができる開閉体緩衝装置および被捕捉部材の取付方法を提供するためのものである。
【課題を解決するための手段】
【００１０】
上述課題を解決するため、本発明に係る開閉体緩衝装置は、開閉体を移動可能に案内するガイドレールの開側および閉側の一方または両方に設けられた被捕捉部材と、前記開閉体に取り付けられて開閉方向へ移動可能に構成され、前記被捕捉部材の突部を捕捉することで前記開閉体を閉方向または開方向へと移動させる捕捉引込機構とを備えたものであって、前記被捕捉部材には、上下方向に貫通する雌ねじが設けられ、前記雌ねじにねじを下側から螺合することによって前記ねじの先端部を前記ガイドレールの上壁部に当接させ、さらにねじを螺合することで前記被捕捉部材の下側を前記ガイドレールの支持部に押圧させるようにしたことを特徴とする。
【００１１】
また、前記被捕捉部材に平板状の取付部を設け、前記取付部に前記雌ねじが設けられるとともに、前記取付部の下面が前記支持部に押圧されるようにしてもよい。
【００１２】
さらに、前記ガイドレールには、その断面において前記支持部が前記ガイドレールの左右にそれぞれ設けられ、左右に対向する前記支持部の間から前記突部を下側に向かって突出させるようになっており、左右に対向する前記支持部の間の長さよりも前記中央取付部の寸法を大きく形成してあってもよい。
【００１３】
また、前記ガイドレールの支持部には、前記取付部の形状に合わせて下側に窪んだ段差部が形成されていてもよい。
【００１４】
前記被捕捉部材は、前記雌ねじが形成された平板状の中央取付部と、前記突部を有し、前記中央取付部に上下に重ねて取り付けられる突起部とがそれぞれ別体で構成されていてもよい。
【００１５】
一方、本発明に係る被捕捉部材の取付方法は、開閉体を移動可能に案内するガイドレールの開側および閉側の一方または両方に設けられた被捕捉部材と、前記開閉体に取り付けられて開閉方向へ移動可能に構成され、前記被捕捉部材の突部を捕捉することで前記開閉体を閉方向または開方向へと移動させる捕捉引込機構とを備えた開閉体緩衝装置に用いられ、前記被捕捉部材を前記ガイドレールに取り付けるための被捕捉部材の取付方法であって、前記被捕捉部材は、前記雌ねじが形成された平板状の中央取付部と、前記突部を有し、前記中央取付部に上下に重ねて取り付けられる突起部とがそれぞれ別体で構成されており、前記雌ねじにねじを下側から螺合することによって前記ねじの先端部を前記ガイドレールの上壁部に当接させ、さらにねじを螺合することで前記中央取付部の下側を前記ガイドレールの支持部に押圧させるようにしたものであり、前記ガイドレールには、その断面において前記支持部が前記ガイドレールの左右にそれぞれ設けられ、左右に対向する前記支持部の間から前記突部を下側に向かって突出させるようになっており、左右に対向する前記支持部の間の長さよりも前記中央取付部の寸法が大きく形成されており、前記中央取付部と前記突起部との間に上下方向に隙間を設け、この隙間に前記支持部が入り込むようにして、左右に対向する前記支持部の間から前記中央取付部を前記支持部の上側に挿入することを特徴とする。
【発明の効果】
【００１６】
本発明に係る開閉体緩衝装置では、前記被捕捉部材には、上下方向に貫通する雌ねじが設けられ、前記雌ねじにねじを下側から螺合することによって前記ねじの先端部を前記ガイドレールの上壁部に当接させ、さらにねじを螺合することで前記被捕捉部材の下側を前記ガイドレールの支持部に押圧させるようにしているので、被捕捉部材に雌ねじ加工するだけの簡単な構造にすることができ、部品の製造コストを低く抑えることができる。また、被捕捉部材を上下で確実に固定することができるので、取付時のがたつきがなく、精度良く取り付けることができる。
【００１７】
また、前記被捕捉部材に平板状の取付部を設け、前記取付部に前記雌ねじが設けられるとともに、前記取付部の下面が前記支持部に押圧されるようにしているので、被捕捉部材を取り付ける上下方向のスペースは、中央取付部の板厚分だけが最低限あればよくなる。そのため、ガイドレールの上下方向の寸法をより小さくすることができる。
【図面の簡単な説明】
【００１８】
【図１】本発明に係る開閉体緩衝装置を備えた引き戸上部の正面図であって、引き戸が中間に位置する状態を示したものである。
【図２】図１の状態から引き戸を閉じた状態を示す正面図である。
【図３】図１の状態から引き戸を開いた状態を示す正面図である。
【図４】（Ａ）は、被捕捉部材を斜め下側から見た斜視図であり、（Ｂ）は、ねじで固定した状態を示す斜視図である。
【図５】（Ａ）は、ガイドレールを単体で示す断面図であり、図５（Ｂ）は、ガイドレールに被捕捉部材を取り付けた状態を示す断面図である。
【図６】（Ａ）は、ガイドレール内に被捕捉部材に挿入する前の状態を示す斜視図であり、（Ｂ）は、取り付けた後の状態を示す斜視図である。
【図７】第２実施形態であって、（Ａ）は、被捕捉部材を斜め下側から見た斜視図であり、（Ｂ）は、ねじで固定した状態を示す斜視図である。
【図８】（Ａ）は、ガイドレール内に被捕捉部材に挿入する前の状態を示す斜視図であり、（Ｂ）は、取り付け途中の状態を示す斜視図である。
【図９】ガイドレール内に被捕捉部材を取り付けた後の状態を示す斜視図である。
【図１０】（Ａ）および（Ｂ）は、ガイドレール内に被捕捉部材に挿入する途中の状態を示す断面図である。
【図１１】（Ａ）は、ガイドレール内に被捕捉部材に挿入した状態を示す断面図であり、（Ｂ）は、ねじで固定した状態を示す断面図である。
【図１２】第２実施形態の変形例であって、被捕捉部材を単体で示す斜視図である。
【図１３】第２実施形態の変形例であって、被捕捉部材をガイドレールに固定した状態を示す断面図である。
【発明を実施するための最良の形態】
【００１９】
（第１実施形態）
以下、本発明の第１実施形態に係る開閉体緩衝装置１０について、図１〜図６を用いて詳細に説明する。なお、本実施の形態では、開閉体緩衝装置１０を引き戸装置に使用したものについて説明する。
【００２０】
図１は、本発明に係る開閉体緩衝装置１０を備えた引き戸２の上部の正面図であって、引き戸２が開閉方向（紙面左右方向）における中間に位置する状態を示したものである。また、図２は、図１の状態から引き戸２を閉じた状態を示す正面図、図３は図１の状態から引き戸２を開いた状態を示す正面図である。
【００２１】
なお、以下の説明で使用する「戸閉側」とは、図１の左側をいうものとし、「戸開側」とは、図１の右側（戸開側）をいうものとする。
【００２２】
図１〜図３に示す引き戸装置は、建物の開口部の上縁部に沿って開閉方向に延在するガイドレール１と、このガイドレール１に沿って開閉方向へ移動することで開口部を開閉する引き戸２（開閉体）と、引き戸２の開き際または閉じ際に制動しつつ、この引き戸２を開位置または閉位置に誘導する開閉体緩衝装置１０とで構成されている。
【００２３】
また、開閉体緩衝装置１０は、ガイドレール１の戸閉側に配設された被捕捉部材１１と、ガイドレール１の戸開側に配設された被捕捉部材１１と、このガイドレール１上を開閉方向に沿って走行可能な捕捉引込機構２０とで構成されている。
【００２４】
戸開側および戸閉側の２つの被捕捉部材１１は、図１に示すように、下側に向けて突出する２つの突部１１ａを有する形状にそれぞれ形成されている。これらの被捕捉部材１１は、捕捉引込機構２０の構造に合わせて、戸開側および戸閉側の所定の位置（引き戸２を開閉方向に誘導する位置）にそれぞれ取り付けられている。
【００２５】
捕捉引込機構２０は、下側が開口する断面コ字形状のガイドレール１（詳細は後述する）の内方に収容されており、ガイドレール１の開閉方向に沿って移動可能に取り付けられている。より詳細には、捕捉引込機構２０には、その戸閉側と戸開側とのそれぞれにガイドローラ２１（図１〜図３において、戸閉側に４個、戸開側に２個）が設けられており、このガイドローラ２１がガイドレール１の転動部１ａ上を転動することによって、捕捉引込機構２０がガイドレール１の開閉方向に自由に移動できるようになっている。
【００２６】
また、捕捉引込機構２０の戸閉側には、詳細は後述する吊り下げ部３００が設けられている。この吊り下げ部３００には、引き戸２の一方の上端角部（図１の紙面左斜め上の角部）が取り付けられており、引き戸２を吊り下げる態様で支持している。
【００２７】
また、捕捉引込機構２０ではないが、引き戸２の右側の上端角部にも吊り下げ部５が取り付けられている。この吊り下げ部５には、引き戸２の他方の上端角部（図１の紙面右斜め上の角部）が取り付けられており、引き戸２を吊り下げる態様で支持している。これにより、引き戸２は、ガイドレール１の転動部１ａを転動可能なガイドローラ２１によって、開閉方向にスムーズに開閉するようになる。
【００２８】
なお、捕捉引込機構２０が被捕捉部材１１の突部１１ａを捕捉する機構については既知であり（例えば、特許文献１参照）、その詳細な構造・動作・作用についての説明は省略する。
【００２９】
図４（Ａ）は、被捕捉部材１１を斜め下側から見た斜視図であり、図４（Ｂ）は、ねじで固定した状態を示す斜視図である。また、図５（Ａ）は、ガイドレール１の断面図、図５（Ｂ）は、ガイドレール１に被捕捉部材１１を取り付けた状態を示す断面図である。さらに、図６（Ａ）は、ガイドレール１内に被捕捉部材１１に挿入する前の状態を示す斜視図であり、図６（Ｂ）は、取り付けた後の状態を示す斜視図である。なお、図６（Ｂ）では、取付部分が見え易いように一部のガイドレールを切り欠いて示している。
【００３０】
被捕捉部材１１は、図４に示すように、１枚の平板鋼板をプレス加工することによって製作される。被捕捉部材１１は、開閉方向に長尺に形成された略矩形状の中央取付部１１ｂと、この中央取付部１１ｂの長手方向の両端（戸閉側および戸開側の両端）をそれぞれ折り曲げて下側に突出させた突部１１ａとで構成されている。
【００３１】
中央取付部１１ｂには、長手方向に間隔を空けて２つの雌ねじ１２が設けられている。この雌ねじ１２には、図４（Ｂ）に示すように、ねじ１３が下側から螺合して仮止めされる。また、矩形状の中央取付部１１ｂの４つの角部には、下側に向けて突出するように爪１４がそれぞれに形成されている。この爪１４は、プレス加工によって生じるバリをそのまま利用するものであってもよい。
【００３２】
突部１１ａは、図４に示すように、中央取付部１１ｂの長手方向の端部を下側に折り曲げて形成される第１壁部１５ａと、この第１壁部１５ａの先端部を略水平に折り曲げた水平部１５ｂと、この水平部１５ｂの先端部をさらに上側に向けて折り返した第２壁部１５ｃとで構成されている。これらの第１壁部１５ａ、水平部１５ｂ、第２壁部１５ｃは、１回のプレス加工によって容易に形成される形状になっている。また、突部１１ａの幅方向の寸法は、中央取付部１１ｂの幅寸法よりも短く形成している。これにより、中央取付部１１ｂには４つの角部ができるようになり、この角部にそれぞれ爪１４を形成することができる。
【００３３】
ガイドレール１は、図５（Ａ）に示すように、その断面形状が略コ字形状に形成されており、開口が下側に向けられている。より詳細には、ガイドレール１は、略水平に形成された上壁部１ｃと、この上壁部１ｃの両端から下側にそれぞれ延びる側面部１ｂ、１ｂとによって、略コ字形状に形成されている。また、２つの側面部１ｂ、１ｂの下端には、内側に向けて略水平に延びる転動部１ａがそれぞれ形成されている。
【００３４】
さらに、２つの側面部１ｂには、上下方向における上側の部分であって、側面部１ｂの内壁部から内側に向かってそれぞれ延びる支持部３、３が形成されている。この支持部３、３によって、ガイドレール１内には、捕捉引込機構２０が挿入されて、開閉方向へと移動するための走行空間４ａと、上述した被捕捉部材１１が取り付けられる取付空間４ｂとに画成されている。これらの走行空間４ａおよび取付空間４ｂは、ガイドレール１の長手方向に沿って連続して設けられている。
【００３５】
支持部３、３の先端部は、距離Ｌ１を隔てて対向している。この距離Ｌ１は、図５（Ｂ）に示すように、被捕捉部材１１の突部１１ａの幅方向の寸法よりも若干大きく形成されており、突部１１ａが支持部３の下側へ突出できるようになっている。また、支持部３、３の先端部の上側には、下側に窪んだ段差部３ａがそれぞれ形成されている。この段差部３ａの形状は、中央取付部１１ｂの形状に合わせて形成されている。より詳細には、この段差部３ａの左右の距離Ｌ２は、被捕捉部材１１の中央取付部１１ｂの幅方向の寸法よりも若干大きく形成されている。
【００３６】
取付空間４ｂに被捕捉部材１１を配置すると、図５（Ｂ）に示すように、被捕捉部材１１の中央取付部１１ｂは、左右の段差部３ａの窪みに入り込む。また、突部１１ａは、対向する支持部３、３の間から、下側の走行空間４ａに向かって突出する。これにより、被捕捉部材１１は、ガイドレール１に対してその左右方向の位置が取付空間４ｂ内で規制されるようになる。
【００３７】
また、取付空間４ｂの上下方向の寸法は、ガイドレール１の全体の上下方向の長さを短くするために、できるだけ小さい方が好ましい。そのため、被捕捉部材１１の中央取付部１１ｂの板厚寸法よりも若干大きい程度の寸法にしている。
【００３８】
次に、被捕捉部材１１の取付方法および作用について図５（ｂ）および図６（Ａ）、（Ｂ）を用いて詳細に説明する。
被捕捉部材１１は、図６に示すように、ガイドレール１の端部から取付空間４ｂ内に挿入される。そして、ガイドレール１を建屋側の戸口の上側にねじ止め等によって固定する。このとき、ガイドレール１の全長が戸口の長さに合わないときは、ガイドレール１の端部を切断して、長さを調整してから取り付けられる。
【００３９】
そして、被捕捉部材１１を長手方向の所定の位置（捕捉引込機構２０が動作する最適な位置）に配置し、被捕捉部材１１に仮止めされているねじ１３を締め付ける。そうすると、図５（Ｂ）に示すように、ねじ１３の先端部は、ガイドレール１の上壁部１ｃに突き当たり、ねじ１３が上壁部１ｃに対して固定される。そして、被捕捉部材１１は、ねじ１３を締付方向に回転させることで、下側へと移動してゆき、中央取付部１１ｂの下面が、段差部３ａの上面に押圧される。これにより、被捕捉部材１１は、ガイドレール１の長手方向における任意の位置で、固定することができる。また、被捕捉部材１１は、その上下方向の位置が取付空間４ｂ内で規制されるようになる。
【００４０】
また、ねじ１３の先端部は、タッピングねじの様に先端が尖った形状のものが使用されているので、ねじ１３を締め付けたときに先端部がガイドレール１の上壁部１ｃに食い込むようになる。これによっても、被捕捉部材１１は、押し当てられた力によって生じる摩擦力以外にも、この食い込み力によって長手方向に移動し難くなる。
【００４１】
さらに、中央取付部１１ｂの４つの角部の爪１４は、押し付けられることで支持部３の上面に食い込むようになる。これによっても、被捕捉部材１１は、長手方向に移動し難くなる。
【００４２】
一方、２つの突部１１ａのうち、長手方向における戸開側（図４の紙面右側）の突部１１ａは、引き戸２を閉じるときに捕捉引込機構２０に捕捉されるものであり、戸閉側の突部１１ａは使用されない（図２参照）。同様に、戸閉側（図４の紙面左側）の突部１１ａは、引き戸２を開くときに捕捉引込機構２０に捕捉されるものであり、開くときに戸開側の突部１１ａは使用されない（図３参照）。すなわち、１つの被捕捉部材１１には、それぞれ１つの突部１１ａのみがあれば機能する。
【００４３】
しかしながら、本発明では、閉側および開側の被捕捉部材１１の部品共通化を図るために、１つの被捕捉部材１１に２つの突部１１ａを設けている。
【００４４】
また、突部１１ａを１つにすると、突部１１ａを挟んで長手方向の両側でねじ１３を締め付けなければならない。突部１１ａに作用する力を考慮して、バランス良く固定するためである。一方、捕捉引込機構２０は、戸閉時において、戸口の中央部側から戸閉側へと移動して戸開側の突部１１ａの第２壁部１５ｃと当接するようになる、このとき、１つの突部１１ａで構成すると、捕捉引込機構２０がねじ１３の下を通過することになってしまう。戸開時には、その逆になり、同様にねじ１３の下を通過する。そのため、ねじ１３の頭部との干渉を避けるために、上下方向に寸法的な余裕を持たせなければならず、ガイドレール１の上下方向の寸法が大きくなってしまう。これを解決するために、本発明では、２つの突部１１ａの間でねじ１３を固定するようにしている。これにより、捕捉引込機構２０がねじ１３の頭部の下を通過しないようになるので、ガイドレール１の上下方向の寸法をより小さく抑えることができる。
【００４５】
本発明の実施の形態に係る開閉体緩衝装置では、被捕捉部材１１には、上下方向に貫通する雌ねじ１２が設けられ、雌ねじ１２にねじ１３を下側から螺合することによってねじ１３の先端部をガイドレール１の上壁部１ｃに当接させ、さらにねじ１３を螺合することで被捕捉部材１１の下側をガイドレール１の支持部３に押圧させるようにしているので、被捕捉部材１１に雌ねじ加工するだけの簡単な構造にすることができ、部品の製造コストを低く抑えることができる。また、被捕捉部材１１を上下で確実に固定することができるので、取付時のがたつきがなく、精度良く取り付けることができる。
【００４６】
また、被捕捉部材１１に平板状の中央取付部１１ｂを設け、この中央取付部１１ｂに雌ねじ１２が設けられるとともに、中央取付部１１ｂの下面が支持部３に押圧されるようにしているので、被捕捉部材１１を取り付ける上下方向のスペースは、中央取付部１１ｂの板厚分だけが最低限あればよくなる。そのため、ガイドレール１の上下方向の寸法をより小さくすることができる。
【００４７】
さらに、ガイドレール１には、その断面において支持部３、３がガイドレール１の左右にそれぞれ設けられ、左右に対向する支持部３，３の間から突部１１ａを下側に向かって突出させるようになっており、左右に対向する支持部３、３の間の長さＬ１よりも中央取付部１１ｂの幅方向の寸法を大きく形成しているので、中央取付部１１ｂの下面を支持部３，３に確実に押し付けることができる。また、支持部３の間から中央取付部１１ｂが下に抜け落ちることがない。
【００４８】
また、ガイドレール１の支持部３、３には、中央取付部１１ｂの形状に合わせて下側に窪んだ段差部３ａ、３ａが形成されているので、中央取付部１１ｂがこの段差部３ａ、３ａ内に入り込み、中央取付部１１ｂが幅方向にずれることがない。そのため、被捕捉部材１１の位置をこの段差部３ａ、３ａによって規制することができる。
【００４９】
以上、本発明の第１実施形態に係る開閉体緩衝装置について述べたが、本発明は既述の実施形態に限定されるものではなく、本発明の技術思想に基づいて各種の変形および変更が可能である。
例えば、本第１実施形態では、ガイドレール１の支持部３は、ガイドレール１の側面部１ｂの内壁部から内側に向かって延びるように形成されているが、ガイドレール１の上壁部１ｃから下側に延ばして形成し、下端を内側に向けて延ばすようにしてもよい。すなわち、支持部３、３によって中央取付部１１ｂの下面が支持できる構造であればよい。
【００５０】
また、第１実施形態では、支持部３、３に段差部３ａ、３ａを設けているが、上下方向の押圧力（ねじ１３による押圧力）だけで固定できる場合には、段差部３ａ、３ａを設けずに構成することもできる。
【００５１】
さらに、第１実施形態では、被捕捉部材１１を開側および閉側の両方に設けているが、いずれか一方にのみ設けるものであってもよい。すなわち、被捕捉部材１１を閉側のみに設けた場合には、引き戸２の戸閉時のみに引き戸２を引き込むようになり、戸開時には動作しない。逆に、開側のみに設けた場合には、戸開時のみに引き込むようになる。
【００５２】
（第２実施形態）
以下、本発明の第２実施形態に係る開閉体緩衝装置について、図７〜図１１を用いて詳細に説明する。なお、第２実施形態では、第１実施形態における被捕捉部材が異なるものであるため、被捕捉部材についてのみ説明し、その他については説明を省略する。また、第１実施形態と同じ構造・機能を奏するものについては、同一の符号を付することでその詳細な説明は省略する。
【００５３】
図７（Ａ）は、被捕捉部材を斜め下側から見た斜視図であり、（Ｂ）は、ねじで固定した状態を示す斜視図である。また、図８（Ａ）は、ガイドレール内に被捕捉部材に挿入する前の状態を示す斜視図であり、（Ｂ）は、取り付け途中の状態を示す斜視図、図９は、ガイドレール内に被捕捉部材を取り付けた後の状態を示す斜視図である。さらに、図１０（Ａ）および（Ｂ）は、ガイドレール内に被捕捉部材に挿入する途中の状態を示す断面図、図１１（Ａ）は、ガイドレール内に被捕捉部材に挿入した状態を示す断面図、図１１（Ｂ）は、ねじで固定した状態を示す断面図である。
【００５４】
本第２実施形態における被捕捉部材１１１は、第１実施形態の被捕捉部材１１の突部１１ａおよび中央取付部１１ｂをそれぞれ別部品で構成したものである。第２実施形態における被捕捉部材１１１は、突起部１１１ａおよび中央取付部１１１ｂをねじ１１０を用いて組み付けて構成されている。
【００５５】
中央取付部１１１ｂは、矩形状の平板鋼板で形成されており、４つの角部には爪１４が設けられている。また、中央部には、長手方向に間隔を空けて４つの雌ねじ１２が設けられている。
【００５６】
突起部１１１ａは、矩形状の平板鋼板をプレス加工で折り曲げて形成されており、長手方向の両端には、突部１１ａ、１１ａがそれぞれ形成されている。また、この２つの突部１１ａ、１１ａを繋ぐ態様で、平面状の取付部１１１ｃが設けられている。この取付部１１１ｃには、雌ねじ１２の位置に対応する２つの穴１０９が形成されている。
【００５７】
突部１１ａは、第１実施形態と同様に、第１壁部１５ａ、水平部１５ｂ、第２壁部１５ｃとで構成されている。また、突起部１１１ａの幅方向の寸法は、中央取付部１１１ｂの幅方向の寸法より小さく形成されており、それぞれガイドレール１の段差部３ａの寸法（Ｌ１、Ｌ２）に対応している（図１１（Ｂ）参照）。
【００５８】
突起部１１１ａは、図７（Ｂ）に示すように、取付部１１１ｃの２つの穴１０９を、中央取付部１１１ｂの内側の２つの雌ねじ１２に重ね合わせて、ねじ１１０を締結することによって中央取付部１１１ｂに取り付けられる。なお、ねじ１１０の長さは、締結したときに中央取付部１１１ｂの上面よりも突出しない長さになっている。
【００５９】
また、中央取付部１１１ｂの長手方向外側の雌ねじ１２には、第１実施形態と同様に、ねじ１３が仮止めされる。
【００６０】
次に、本第２実施形態における被捕捉部材１１１の取付方法および作用について、図８〜図１１を用いて詳細に説明する。
被捕捉部材１１１は、図８に示すように、第１実施形態の被捕捉部材１１とは異なりガイドレール１の下側開口部から挿入され、走行空間４ａ側から取付空間４ｂ内へと挿入されて取り付けられる。
【００６１】
このとき、ねじ１１０は緩めて仮止めされた状態にしておき、図１０（Ｂ）に示すように、中央取付部１１１ｂと突起部１１１ａとの間に上下方向に隙間Ｌ３が形成されるようにしておく。この状態で、図８（Ｂ）および図１０（Ａ）、（Ｂ）に示すように、被捕捉部材１１１を斜めにして、中央取付部１１１ｂを取付空間４ｂ内に挿入する。
【００６２】
挿入する際には、図１０（Ｂ）に示すように、中央取付部１１１ｂと突起部１１１ａとの間にできる隙間Ｌ３に、支持部３の先端部が入り込むようにすることで、左右の支持部３、３の間から容易に挿入することができる。
【００６３】
図１１（Ａ）に示すように被捕捉部材１１１が取付空間４ｂ内に挿入された後、突起部１１１ａを取り付けるためのねじ１１０を隙間Ｌ３がなくなるまで締結する。これにより、中央取付部１１１ｂと突起部１１１ａは隙間なくしっかりと固定されるようになる。また、固定された状態では、中央取付部１１１ｂが支持部３、３の間から下側に抜け落ちることがなくなる。
【００６４】
最後に、被捕捉部材１１１をガイドレール１内の所定の位置に配置し、ねじ１３を締結する。ねじ１３を締結すると、第１実施形態の被捕捉部材１１と同様に、中央取付部１１１ｂが段差部３ａの内部に入り込むようになるとともに、突部１１ａが支持部３、３の間から下側に向かって走行空間４ａ内に突出するようになる。
【００６５】
このように、ガイドレール１の下側の開口部から被捕捉部材１１１を挿入・取り付けできるようにすることで、予めガイドレール１内に被捕捉部材１１１を挿入しておく必要がない。そのため、ガイドレール１を建屋の戸口側に固定した後でも、被捕捉部材１１１を任意の位置に取り付けることができる。
【００６６】
本発明の第２実施形態に係る開閉体緩衝装置によれば、被捕捉部材１１１は、雌ねじ１２が形成された平板状の中央取付部１１１ｂと、突部１１ａを有し、中央取付部１１１ｂに上下に重ねて取り付けられる突起部１１１ａとがそれぞれ別体で構成されているので、これらの中央取付部１１１ｂおよび突起部１１１ａとの間に隙間Ｌ３を設けることができる。これにより、被捕捉部材１１１をガイドレール１に取り付ける際に、この隙間Ｌ３内に支持部３、３が入り込むように片側に斜めに寄せることができるので、支持部３、３の小さな隙間Ｌ１から、それよりも大きな寸法の中央取付部１１１ｂを取付空間４ｂ内に挿入することができる。
【００６７】
また、被捕捉部材１１１の取付方法では、被捕捉部材１１１は、雌ねじ１２が形成された平板状の中央取付部１１１ｂと、突部１１ａを有し、中央取付部１１１ｂに上下に重ねて取り付けられる突起部１１１ａとがそれぞれ別体で構成されており、中央取付部１１１ｂと突起部１１１ａとの間に上下方向に隙間Ｌ３を設け、この隙間Ｌ３に支持部３、３が入り込むようにして、左右に対向する支持部３、３の間から中央取付部１１１ｂを支持部３、３の上側に挿入しているので、被捕捉部材１１１をガイドレール１の下側から組み付けることができる。そのため、ガイドレール１を戸口に先に取り付けた後に、被捕捉部材１１１をガイドレール１に取り付けることができるので、第１実施形態のように先にガイドレール１に組み込む必要がなく、作業の利便性が向上する。
【００６８】
以上、本発明の第２実施形態に係る開閉体緩衝装置について述べたが、本発明は既述の実施形態に限定されるものではなく、本発明の技術思想に基づいて各種の変形および変更が可能である。
例えば、第２実施形態では、平板鋼板を曲げ加工して被捕捉部材１１１を製作し、かつ、ガイドレール１の下側開口から挿入・取り付けできるように工夫されているが、樹脂材料を用いて被捕捉部材を製作してもよい。
【００６９】
図１２および図１３は、第２実施形態の変形例であって、樹脂材料で製作した一例を示している。被捕捉部材２１１は、図１２に示すように、中央取付部２１１ｂと突部２１１ａが樹脂材料で一体成形されている。また、中央取付部２１１ｂの左右の側面には、上側から斜め下側に向けて延びる爪２１４、２１４がそれぞれ形成されている。この爪２１４、２１４は、中央取付部２１１ｂの長手方向の全長に亘って連続して形成されている。また、この爪２１４、２１４は、弾性を有する樹脂材料によって変形できるようになっている。
【００７０】
突部２１１ａには、実施形態１の突部１１ａと同様に、第１壁部１５ａ、水平部１５ｂ、第２壁部１５ｃがそれぞれ形成されている。
また、中央取付部２１１ｂの中央には、２つの雌ねじ１２（図１３参照）が形成されており、ねじ１３が仮止めされた状態で取り付けられている。
【００７１】
被捕捉部材２１１は、ガイドレール１の下側開口部から挿入・取付される。被捕捉部材２１１は、２つの支持部３、３の間から上側に向けて押し込むと、爪２１４、２１４が中央に向けて押されて変形し、取付空間４ｂ内に入り込む。また、爪２１４、２１４は、取付空間４ｂ内に入り込むと、図１３に示すように、自己の弾性で外側に広がり下側に抜けないようになる。
【００７２】
この状態でねじ１３を締結すると、被捕捉部材２１１は下側へと移動して、爪２１４、２１４の下側先端部と支持部３の上面とが押し付けられる。これにより、被捕捉部材２１１がガイドレール１に固定されることになる。
【００７３】
このように樹脂材料を用いて被捕捉部材２１１を構成した場合であっても、上下方向の寸法を小さくすることができる。また、ガイドレールの下側開口から被捕捉部材２１１を取り付けることができる。
【００７４】
なお、第１実施形態および第２実施形態に係る被捕捉部材１１，１１１を樹脂材料でそれぞれ製作することもできる。
【符号の説明】
【００７５】
１  ガイドレール
１ａ  転動部
１ｂ  側面部
１ｃ  上壁部
２  引き戸（開閉体）
３  支持部
３ａ  段差部
４ａ  走行空間
４ｂ  取付空間
５  吊り下げ部
１０  開閉体緩衝装置
１１  被捕捉部材
１１ａ  突部
１１ｂ  中央取付部（取付部）
１２  雌ねじ
１３  ねじ
１４  爪
１５ａ  第１壁部
１５ｂ  水平部
１５ｃ  第２壁部
２０  捕捉引込機構
２１  ガイドローラ
１０９  穴
１１０  ねじ
１１１  被捕捉部材
１１１ａ  突起部
１１１ｂ  中央取付部
１１１ｃ  取付部
２１１  被捕捉部材
２１１ａ  突部
２１１ｂ  中央取付部
２１４  爪
３００  吊り下げ部
Ｌ１、Ｌ２  寸法
Ｌ３  隙間
【図１】
2016176210.tif 000003
【図２】
2016176210.tif 000004
【図３】
2016176210.tif 000005
【図４】
2016176210.tif 000006
【図５】
2016176210.tif 000007
【図６】
2016176210.tif 000008
【図７】
2016176210.tif 000009
【図８】
2016176210.tif 000010
【図９】
2016176210.tif 000011
【図１０】
2016176210.tif 000012
【図１１】
2016176210.tif 000013
【図１２】
2016176210.tif 000014
【図１３】
2016176210.tif 000015